(57)【特許請求の範囲】
【請求項１】
螺子係合により本容器の口部に装着されるキャップ本体と、螺子係合によりキャップ本体に装着される上蓋と、添加液を収容したサブ容器と、サブ容器を収容しており且つ上蓋内に着脱自在に保持されたサブ容器保持体とからなり、
前記キャップ本体は、内面に本容器の口部外面と螺子係合し得る螺条を備えた筒状外側壁と、該筒状外側壁の内部に位置し且つ底壁を有する内筒と、該筒状外側壁の上端と内筒の上端とを連結する連結壁と、連結壁の上面から上方に延びており且つ外面に上蓋係合用螺条を有する筒状突起とからなり、前記内筒の底壁上面には第１のカッターが形成されており、
前記上蓋は、頂板部と、頂板部周縁から下方に延びており且つ内面に前記上蓋係合用螺条と螺子係合し得る螺条を有する環状側壁と、頂板部内面から下方に延びており且つ外面に前記サブ容器保持体との係合用螺条を有する環状突起とからなり、
前記サブ容器保持体は、上端が閉じられ且つ下端開口の筒状のサブ容器収容部と、該サブ容器収容部の側壁の外面とは一定の間隔をおいて且つ該側壁の外面に沿って延びており、下端部で該サブ容器収容部の外面に連結されている周状外側壁とからなり、
前記サブ容器収容部の下端には、第２のカッターが形成されており、該サブ容器収容部の内部空間には、前記サブ容器が収容されるとともに、該サブ容器収容部の側壁内面の下方部分にはサブ容器保持用突起が形成されており、前記周状外側壁の内面には、前記上蓋の環状突起の外面に形成されている係合用螺条と螺子係合する螺条が形成されており、両者の螺子係合により、前記上蓋の環状突起が前記サブ容器収容部の側壁と前記周状外側壁との間に位置し且つサブ容器収容部の上方部分が上蓋の環状突起で囲まれる空間内に収容された状態で、前記サブ容器保持体は、上蓋内部に保持されるとともに、
前記サブ容器を保持している上蓋をキャップ本体に螺子係合して装着したとき、前記上蓋内に保持されているサブ容器保持体の周状外側壁の外面とキャップ本体の筒状突起の内面とは、キャップ本体に螺子係合させるときの上蓋の閉栓方向への回転と同方向に周状外側壁が回転し得るが、逆方向への周状外側壁の回転が阻止されるような軸方向に延びるラチェットで係合するとともに、
前記上蓋とキャップ本体との螺子係合と、前記上蓋と前記サブ容器保持体との螺子係合とは、本容器の口部に取り付けられたキャップ本体に装着されている上蓋を開栓方向に旋回すると、サブ容器保持体が、上蓋の環状突起との螺子係合の解除により降下するような関係にあり、サブ容器保持体の降下により、該サブ容器保持体に収容保持されているサブ容器のシール壁が前記第１のカッターにより破断され、次に前記第２のカッターにより、キャップ本体の前記内筒の底壁が破断し、サブ容器内に収容されている添加液が本容器内に導入され、本容器内に収容されている内容液と混合されることを特徴とする二液混合用キャップ。
【請求項２】
前記キャップ本体と本容器の口部との螺子係合力は、上蓋とキャップ本体との螺子係合力よりも強く設定されている請求項１に記載の二液混合用キャップ。
【請求項３】
前記上蓋の環状側壁の下方部分の外面からは、裾広がりのスカートが下方に延びており、該スカートの下方部分の内面には、第１のストッパーが形成されているとともに、前記キャップ本体の筒状外側壁の上方部分外面には第２のストッパーが形成されており、上蓋を開栓方向に旋回し、前記第１及び第２のカッターにより、サブ容器のシール壁の破断及び内筒底壁の破断が行われた後に、前記第１のストッパーと第２のストッパーとが当接し、上蓋の開栓方向への回転に伴ってキャップ本体の筒状外側壁が開栓方向に回転し、上蓋と一体的にキャップ本体が本容器の口部から取り除かれる請求項１又は２に記載の二液混合用キャップ。
【請求項４】
前記内筒底壁には、薄肉の弱化部が形成されている請求項１乃至３に記載の二液混合用キャップ。
【請求項５】
前記スカートの下端には、破断可能なブリッジを介してタンパーエビデントバンドが設けられている請求項３に記載の二液混合用キャップ。
【発明の詳細な説明】
【０００１】
【発明の属する技術分野】
本発明は、二液混合用キャップに関するものであり、より詳細には、本容器の口部に装着されているキャップ内に、添加液が収容されたサブ容器が保持されており、該キャップの開栓操作に伴ってサブ容器が破断されて、本容器内に収容されている内容液と添加液とが混合される二液混合用キャップに関する。
【０００２】
【従来の技術】
飲料等の液体が充填されたボトル等の容器のキャップとして、容器口部に螺子係合により装着される樹脂キャップが広く使用されている。また、最近では、消費者のニーズに応えるため、種々の商品が開発され、例えば、飲料についても、喫飲時に各種のエッセンス、香料などの添加液を混合するものなども開発されている。
このような喫飲時に二液を混合するために用いるキャップは、かなり以前から提案されており、例えば実公平１−４６９３号公報の第３図には、容器口部内に嵌め込まれる内筒体と、容器口部の外面に螺子係合により装着される容器蓋本体とからなる容器蓋が開示されている。
かかる先行技術の容器蓋では、前記内筒体の下端は金属箔或いは樹脂フィルム等で保持されており、この内筒体の内部に容器と混合すべき物質が収容される。また、容器蓋本体には、上記の金属箔或いは樹脂フィルムにヒートシールされた支柱が設けられており、容器蓋本体を開栓して容器口部から取り外すと同時に、前記支柱により、金属箔或いは樹脂フィルムが破断し、内筒体内部に収容されている物質が容器内容物と混合されるような構造となっている。
【０００３】
【発明が解決しようとする課題】
上記先行技術に開示されている容器蓋は、容器蓋を旋回して開栓操作に伴って、格別の操作を行うことなしに、自動的に内筒体の金属箔或いはフィルムが破断されて内筒体に収容された物質が容器内容物と混合されるため、前述した二液混合飲料等を収容した容器のキャップとして使用することができる。
しかしながら、かかる容器蓋では、比較的小容積の内筒体内部には、金属箔或いは樹脂フィルムを破断するための支柱が存在しているため、内筒体内部に収容し得る液量が制限され、あまり多量の添加液を収容することができないという欠点がある。
また、小容積の内筒体内部に添加液を収容した状態で、支柱の先端及び内筒体フランジに金属箔或いは樹脂フィルムをヒートシールしなければならず、ヒートシール作業が非常に面倒であるばかりか、内筒体フランジ或いは支柱先端のヒートシール面に添加液が付着するなどの不都合を生じ、ヒートシールを有効に行うことが困難となることもある。
更に、支柱を介してフィルムを引張って破断するため、破断に大きな力が必要となり、開栓が困難となる虞がある。
【０００４】
従って本発明の目的は、容器口部からのキャップの開栓と同時にキャップ内に収容されている添加液を容器内容液と混合することができるばかりか、キャップ内に添加液を収容する空間を大きくとることができ、さらには、キャップ内への添加液の収容作業や添加液のシール作業等をも容易に行うことが可能な二液混合用キャップを提供することにある。
【０００５】
【課題を解決するための手段】
本発明によれば、螺子係合により本容器の口部に装着されるキャップ本体と、螺子係合によりキャップ本体に装着される上蓋と、添加液を収容したサブ容器と、サブ容器を収容しており且つ上蓋内に着脱自在に保持されたサブ容器保持体とからなり、
前記キャップ本体は、内面に本容器の口部外面と螺子係合し得る螺条を備えた筒状外側壁と、該筒状外側壁の内部に位置し且つ底壁を有する内筒と、該筒状外側壁の上端と内筒の上端とを連結する連結壁と、連結壁の上面から上方に延びており且つ外面に上蓋係合用螺条を有する筒状突起とからなり、前記内筒の底壁上面には第１のカッターが形成されており、
前記上蓋は、頂板部と、頂板部周縁から下方に延びており且つ内面に前記上蓋係合用螺条と螺子係合し得る螺条を有する環状側壁と、頂板部内面から下方に延びており且つ外面に前記サブ容器保持体との係合用螺条を有する環状突起とからなり、
前記サブ容器保持体は、上端が閉じられ且つ下端開口の筒状のサブ容器収容部と、該サブ容器収容部の側壁の外面とは一定の間隔をおいて且つ該側壁の外面に沿って延びており、下端部で該サブ容器収容部の外面に連結されている周状外側壁とからなり、
前記サブ容器収容部の下端には、第２のカッターが形成されており、該サブ容器収容部の内部空間には、前記サブ容器が収容されるとともに、該サブ容器収容部の側壁内面の下方部分にはサブ容器保持用突起が形成されており、前記周状外側壁の内面には、前記上蓋の環状突起の外面に形成されている係合用螺条と螺子係合する螺条が形成されており、両者の螺子係合により、前記上蓋の環状突起が前記サブ容器収容部の側壁と前記周状外側壁との間に位置し且つサブ容器収容部の上方部分が上蓋の環状突起で囲まれる空間内に収容された状態で、前記サブ容器保持体は、上蓋内部に保持されるとともに、
前記サブ容器を保持している上蓋をキャップ本体に螺子係合して装着したとき、前記上蓋内に保持されているサブ容器保持体の周状外側壁の外面とキャップ本体の筒状突起の内面とは、キャップ本体に螺子係合させるときの上蓋の閉栓方向への回転と同方向に周状外側壁が回転し得るが、逆方向への周状外側壁の回転が阻止されるような軸方向に延びるラチェットで係合するとともに、
前記上蓋とキャップ本体との螺子係合と、前記上蓋と前記サブ容器保持体との螺子係合とは、本容器の口部に取り付けられたキャップ本体に装着されている上蓋を開栓方向に旋回すると、サブ容器保持体が、上蓋の環状突起との螺子係合の解除により降下するような関係にあり、サブ容器保持体の降下により、該サブ容器保持体に収容保持されているサブ容器のシール壁が前記第１のカッターにより破断され、次に前記第２のカッターにより、キャップ本体の前記内筒の底壁が破断し、サブ容器内に収容されている添加液が本容器内に導入され、本容器内に収容されている内容液と混合されることを特徴とする二液混合用キャップが提供される。
尚、本明細書において、上記のような上蓋とキャップ本体との螺子係合と、前記上蓋と前記サブ容器保持体との螺子係合との関係を、逆螺子の関係と呼ぶことがある。
【０００６】
即ち、本発明の二液混合用キャップでは、上蓋の開栓を行うことによって、自動的に、上蓋に装着されたサブ容器保持体に保持されているサブ容器のシール壁の破断とキャップ本体の内筒底壁の破断とが行われ、サブ容器内の添加液が本容器内の内容液と混合される。また、サブ容器内への添加液の充填及びシール作業は、キャップの製造とは別個の工程で行うことができ、しかもサブ容器内には、シール壁破断のためのカッターは設けられていないため、シール作業を容易に且つ有効に行うことができる。更に、サブ容器が保持されるサブ容器保持体の筒状体（サブ容器収容部）の内部にも、シール壁破断のためのカッターは設けられておらず、従って、このようなカッターによりサブ容器収容部の容積が制限されることがなく、比較的多量の添加液を混合するような飲料などの用途にも本発明を適用することができる。
【０００７】
本発明においては、
１．前記キャップ本体と本容器の口部との螺子係合力は、上蓋とキャップ本体との螺子係合力よりも強く設定されていること、
２．前記上蓋の環状側壁の下方部分の外面からは、裾広がりのスカートが下方に延びており、該スカートの下方部分の内面には、第１のストッパーが形成されているとともに、前記キャップ本体の筒状外側壁の上方部分外面には第２のストッパーが形成されており、上蓋を開栓方向に旋回し、前記第１及び第２のカッターにより、サブ容器のシール壁の破断及び内筒底壁の破断が行われた後に、前記第１のストッパーと第２のストッパーとが当接し、上蓋の開栓方向への回転に伴ってキャップ本体の筒状外側壁が開栓方向に回転し、上蓋と一体的にキャップ本体が本容器の口部から取り除かれること、
３．前記内筒底壁には、薄肉の弱化部が形成されていること、
４．前記スカートの下端には、破断可能なブリッジを介してタンパーエビデントバンドが設けられていること、
が好ましい。
【０００８】
【発明の実施の形態】
本発明を、以下、添付図面に示す具体例に基づいて詳細に説明する。
図１は、本発明の二液混合用キャップが本容器の口部に装着された状態を示す側断面図であり、
図２は、図１のキャップについて開栓を開始した直後の状態を示す側断面図であり、
図３は、図２の状態から開栓を進行させ、サブ容器のシール壁の破断が行われている状態を示す側断面図であり、
図４は、図３の状態から開栓を進行させ、キャップ本体の内筒底壁の破断が行われている状態を示す側断面図であり、
図５は、図４の状態から開栓を更に進行させ、このキャップを本容器口部から取り外した状態を示す側断面図である。
【０００９】
図１において、本発明の二液混合用キャップは、大まかにいって、螺子係合により本容器８０の口部に装着されるキャップ本体１と、このキャップ本体１に螺子係合により装着される上蓋２と、添加液を収容したサブ容器３と、サブ容器３を収容し且つ上蓋２内に着脱自在に保持されたサブ容器保持体４とから構成されている。
【００１０】
キャップ本体１は、筒状外側壁６と、筒状外側壁６の内側に位置している内筒８とを有している。
図１から明らかな通り、筒状外側壁６の内面には、螺条６ａが形成されており、この螺条６ａは、本容器８０の口部外面に形成されている螺条８０ａと螺子係合する。即ち、この螺子係合によって、キャップ本体１は、本容器８０の口部に装着される。
また、内筒８の下端は、底壁１０によって閉じられており、その上端は、連結壁１１により、筒状外側壁６の上端に連結されている。
内筒８の底壁１０の上面の中央部分には、上端が先細の十字形状を有する第１のカッター１２が設けられている。また、この底壁１０には、後述する第２のカッターによる破断を容易に行うために、薄肉の弱化部、本実施例では、周状スコア１４が形成されている。
更に、連結壁１１の下面には、筒状外側壁６と適当な間隔をおいてインナーリング１６及びアウターリング１７が設けられている。即ち、前述した螺子係合によりキャップ本体１を本容器８０の口部に装着したとき、この口部は、インナーリング１６とアウターリング１７との間でしっかりと保持され、これにより、本容器８０のシール性が確保される。
一方、連結壁１１の上面には、直立した筒状突起１８が設けられており、その外面には、上蓋係合用の螺条１８ａが設けられている。また、筒状突起１８の内面には、軸方向に延びるラチェット１８ｂが形成されている。これらの螺条１８ａ及びラチェット１８ｂの機能については後述する。
【００１１】
上蓋２は、頂板部２０と、頂板部２０の周縁から下方に延びている環状側壁２１とからなっている。
この環状側壁２１の内面には、螺条２１ａが形成されており、この螺条２１ａが上述した筒状突起１８の外面に形成されている上蓋係合用の螺条１８ａと螺子係合することにより、キャップ本体１に上蓋２が装着される。この螺条２１ａと螺条１８ａとのリード角を前述した本容器８０の螺条８０ａとキャップ本体１の筒状外側壁の螺条６ａとのリード角より大きくすることにより、螺条２１ａと螺条１８ａとの螺子係合力は、前述した本容器８０の螺条８０ａとキャップ本体１の筒状外側壁の螺条６ａとの螺子係合力よりも弱く設定されている。これは、上蓋２を開栓するときに、キャップ本体１が共回りして上蓋２と同時に上昇して本容器８０の口部から脱離してしまうことを防止するためである。
また、本発明においては、上記環状側壁２１の下方部分の外面から裾広がりのスカート２３が設けられていることが好適であり、このスカート２３の下端には、破断可能なブリッジ２５を介して、それ自体公知のタンパーエビデントバンド（ＴＥバンド）２７が設けられている。即ち、このキャップを本容器８０の口部から取り除くときは、必ずＴＥバンド２７が除去されるため、該キャップの不正使用を防止することができるのである。尚、ＴＥバンド２７を設ける代わりに、シュリンクフィルムにより上蓋２の全体を覆っておくこともできる。
上記スカート２３の下方部分の内面には第１のストッパー２９を設けるとともに、キャップ本体１の筒状外側壁６の外面上方部分に、上記の第１のストッパー２９と係合し得る第２のストッパー３０を設けておくことが好ましい。これらストッパー２９，３０の機能については後述する。
【００１２】
上蓋２の頂板部２０の内面には、前記環状側壁２１とは間隔をおいて下方に伸びている環状突起３２が設けられている。この環状突起３２の外面には、サブ容器保持体４との係合用螺条３２ａが形成されている。
【００１３】
サブ容器保持体４は、筒状体３５と、筒状体３５の外面とは一定の間隔をおいて延びており、且つ下端において筒状体３５の外面に連結されている周状外側壁３７とからなっている。
この筒状体３５は、図１から明らかな通り、その上端が閉じられており、下端が開口となっており、この内部に添加液が収容されたサブ容器３が収容され、保持されるようになっている。即ち、筒状体３５の側壁３６の内面には、突起３６ａが形成されており、この突起３６ａにより、筒状体３５の内部に収容されたサブ容器３が脱落しないようにしっかりと保持される。
【００１４】
サブ容器３は、これに限定されるものではないが、例えばシート成形等によって形成され、その開口部（図１において下端部分）は、アルミ箔等の金属箔や樹脂フィルム（図１において３ａで示す）がヒートシールされてシールされている。即ち、このサブ容器３は、キャップの製造工程とは別個の工程で製造され、添加液の充填及びヒートシールが行われる。
更に、このサブ容器３の開口部に外方に延びる環状のフランジ部設けると、金属箔や樹脂フィルムのヒートシールを容易に行うことができる。
【００１５】
また、上記筒状体３５において、側壁３６の下端には、先端が鋭利なエッジとなっている第２のカッター３８が形成されている。この第２のカッター３８により、キャップ本体１の内筒８の底壁１０に形成されているスコア１４が後述する動作により破断される。
この第２のカッター３８は、底壁１０のスコア１４をある程度の幅で破断し得る限り、側壁３６の下端の一部に形成されていてもよいが、一般的には、図１に示されているように、側壁３６の下端の全周にわたって形成され、且つ一方側から他方側に向かって漸次低くなっていることが好適である。即ち、第２のカッター３８をこのように形成することにより、後述する動作によるスコア１４の破断を有効に行い、且つスコア１４の破断が生じたときに、その破片が本容器８０の内部に落下することを有効に防止することができる。
【００１６】
また、サブ容器保持体４の周状外側壁３７の内面には、螺条３７ａが形成されており、この螺条３７ａが上蓋２の環状突起３２の外面に形成されている螺条３２ａと螺子係合することにより、サブ容器４を保持しているサブ容器保持体４が上蓋２内に保持される。即ち、図１から明らかな通り、上蓋２の環状突起３２は、周状外側壁３７と筒状体３５の側壁３６との間の空間に入り込み、筒状体３５は環状突起３２の内部空間に収容される。
【００１７】
本発明においては、上述した螺条３７ａと螺条３２ａとの螺子係合は、上蓋２（環状側壁２１）の螺条２１ａとキャップ本体１（筒状突起１８）の螺条１８ａとの螺子係合と逆螺子であり、且つそのピッチは、螺条２１ａと螺条１８ａとのピッチよりも大きく設定されている。
更に、サブ容器保持体４の周状外側壁３７の外面には、キャップ本体１の筒状突起１８の内面に上端から下部に延びて形成されているラチェット１８ｂと係合する軸方向に延びるラチェット３７ｂが形成されている。これらのラチェット１８ｂとラチェット３７ｂとの係合は、周状外側壁３７の上蓋２の閉栓方向への回転方向と同一方向への回転を許容するが、開栓方向と同一方向への回転を阻止するようになっている。
【００１８】
上述した本発明の二液混合用キャップは、以下に示すようにして、本容器８０の口部に装着される。
まず、添加液が収容されたサブ容器３をサブ容器保持体４の筒状体３５の内部に収容保持せしめ、さらに、このサブ容器保持体４を、螺条３７ａを螺条３２ａに螺子係合させて、上蓋２に取り付ける。即ち、上蓋の環状壁３２がサブ容器保持体４の周状外側壁３７と筒状体３５の側壁３６との間に侵入し、且つサブ容器３が収容され、保持されている筒状体３５は、環状壁３２内に入り込んだ状態で、サブ容器保持体４は、上蓋２内に保持される。
次に、このサブ容器３とサブ容器保持体を内側に収容した上蓋２をキャップ本体１に被せ、閉栓方向に回転することにより、螺条１８ａと螺条２１ａとの螺子係合により、上蓋２は降下し、キャップ本体１に装着される。このセットされたキャップが螺条６ａと螺条８０ａとの螺子係合により、本容器８０の口部に装着される。かかる閉栓操作において、上蓋２内に保持されているサブ容器保持体４は、前述したラチェット１８ｂとラチェット３７ｂとにより、その周状外側壁３７の外面とキャップ本体１の筒状突起１８の内面と係合するため、上蓋２と一体的に開栓方向に旋回するため、上蓋と一体的に降下する。
かくして、この二液混合用キャップは、本容器８０の口部に装着され、図１に示す状態となる。
【００１９】
上記のようにして本容器８０の口部に装着されたキャップの開栓は、図２乃至図５に示す手順で行われる。
先ず、図２に示すように、上蓋２を開栓方向に旋回すると、螺条１８ａと螺条２１ａとの螺子係合が解除されていくため、上蓋２は全体的に上昇し、ブリッジ２５の破断により、ＴＥバンド２７がスカート２３の下端から外れる。
一方、ラチェット１８ｂとラチェット３７ｂとにより、サブ容器保持体４の開栓方向への回転は阻止され、且つ螺条３７ａと螺条３２ａとは、螺条１８ａと螺条２１ａとの螺子係合とは逆螺子となっている。また、螺条３７ａと螺条３２ａとのピッチは、螺条１８ａと螺条２１ａとのピッチよりも大きく設定されている。従って、上蓋２は、上記の開栓操作により上昇するが、サブ容器保持体４は降下することとなる。
【００２０】
次いで、図３に示すように、上蓋２の開栓を続けていくと、上蓋２は更に上昇し、サブ容器保持体４は更に降下する。
従って、サブ容器保持体４に収容され保持されているサブ容器３のシール壁３ａは、キャップ本体１の内筒８の底壁１０に設けられている第１のカッター１２の先端によって破断される。
【００２１】
更に上蓋２の開栓を続けていくと、サブ容器保持体４は更に降下するため、図４に示すように、サブ容器３のシール壁３ａの破断部は、第１のカッター１２により大きく押し広げられ、次に、サブ容器保持体４の筒状体３５（側壁３６）の下端に設けられている第２のカッター３８が、キャップ本体１の内筒８の底壁１０に設けられているスコア１４の部分に当接し、このスコア１４の部分で破断を生じる。
従って、シール壁３ａの破断によってサブ容器３内から流出した添加液は、破断した底壁１０のスコア１４の部分から本容器８０内に入り込み、本容器８０内に収容されている内容液と添加液との混合が行われる。
【００２２】
ところで、前述した上蓋２のスカート２３の内面に設けられている第１のストッパー２９とキャップ本体１の筒状外側壁６の外面に設けられている第２のストッパー３０とは、図４に示す状態で互いに当接する。
従って、図４に示す状態から更に上蓋２を開栓方向に旋回していくと、キャップ本体１も上蓋２と一体的に開栓方向に旋回し、この結果、図５に示すように、破断したサブ容器３を収容しているサブ容器保持体４を保持したままの上蓋２とともに、キャップ本体１も本容器８０の口部から一挙に取り除かれることとなる。
【００２３】
尚、上述した本発明において、上蓋２にスカート２３を設けなかった場合や、第１及び第２のストッパー２９，３０を設けなかった場合には、図４に示す状態で、即ち、破断したサブ容器３を収容しているサブ容器保持体４を保持したままの状態で上蓋２がキャップ本体１から取り外され、キャップ本体１は、そのまま本容器８０の口部に残る。従って、残されたキャップ本体１は、新たに手で持って開栓方向に旋回させることにより、上蓋２とは別個に本容器８０の口部から取り外される。
【００２４】
上述した本発明の二液混合キャップやこれに使用されるサブ容器３は、各種のプラスチック、例えば、低−、中−または高密度ポリエチレン、線状低密度ポリエチレン、ポリプロピレン、熱可塑性ポリエステル、ポリアミド、スチレン系樹脂、ＡＢＳ樹脂等を用いて、射出成形、圧縮成形等の一体成形により、容易に製造することができるが、通常、第１及び第２のカッターが設けられるキャップ本体１やサブ容器保持体４は、比較的硬質のプラスチック、例えばポリプロピレン等により形成することが好適である。
【００２５】
【発明の効果】
本発明によれば、上蓋の開栓により、一挙に、サブ容器内の添加液と本容器内の内容液との混合を行うことができる。
また、サブ容器内への添加液の充填及びシール作業は、キャップの製造とは別個の工程で行うことができ、しかもサブ容器内には、シール壁破断のためのカッターは設けられていないため、シール作業を容易に且つ有効に行うことができる。
更に、サブ容器収容部（サブ容器保持体の筒状体）の容積が制限されることがなく、比較的多量の添加液を混合するような飲料などの用途にも本発明を適用することができる。
【図面の簡単な説明】
【図１】本発明の二液混合用キャップが本容器の口部に装着された状態を示す側断面図である。
【図２】図１のキャップについて開栓を開始した直後の状態を示す側断面図である。
【図３】図２の状態から開栓を進行させ、サブ容器のシール壁の破断が行われている状態を示す側断面図である。
【図４】図３の状態から開栓を進行させ、キャップ本体の内筒底壁の破断が行われている状態を示す側断面図である。
【図５】図４の状態から開栓を更に進行させ、このキャップを本容器口部から取り外した状態を示す側断面図である。
【符号の説明】
１：キャップ本体              ２：上蓋
３：サブ容器                  ４：サブ容器保持体
６：筒状外側壁                ８：内筒体
１０：底壁                    １２：第１のカッター
１８：筒状突起                ２１：環状側壁
２３：スカート                ２９：第１のストッパー
３０：第２のストッパー        ３２：環状突起
３５：筒状体                  ３６：側壁
３７：周状外側壁              ３８：第２のカッター
【図１】
0004031276.tif 000002
【図２】
0004031276.tif 000003
【図３】
0004031276.tif 000004
【図４】
0004031276.tif 000005
【図５】
0004031276.tif 000006